【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
被写体を撮像した画像データを出力する撮像手段と、
前記撮像手段から出力された複数の画像データを合成する合成手段と、
前記合成手段で合成された画像データを設定された記憶領域に記憶するメモリ手段と、
前記撮像手段から出力された画像データと前記メモリ手段に記憶された画像データとの間の被写体像の移動量を検出する移動量検出手段と、を有する撮像装置であって、
前記合成手段に、前記撮像手段から出力された画像データと前記メモリ手段に記憶された画像データとを、前記移動量検出手段で検出された被写体像の移動量分移動させて合成を行わせる制御手段を有し、
前記制御手段は、前記合成手段で合成された画像データが前記記憶領域内に収まるように、前記記憶領域と、前記移動量とに応じて合成を制御する、ことを特徴とする撮像装置。
【請求項２】
前記制御手段は、前記合成手段に合成を行わせると、前記撮像手段から出力された画像データの領域が前記記憶領域よりも外側にずれてしまう場合、
前記合成手段に合成を行わせない、ことを特徴とする請求項１に記載の撮像装置。
【請求項３】
前記制御手段は、前記合成手段に合成を行わせると、前記撮像手段から出力された画像データの領域が前記記憶領域よりも外側にずれてしまう場合、
前記合成手段に、前記撮像手段から出力された画像データの領域のうち、前記記憶領域に収まる領域のみ合成を行わせる、ことを特徴とする請求項１に記載の撮像装置。
【請求項４】
前記制御手段は、前記合成手段に合成を行わせると、前記撮像手段から出力された画像データの領域が前記記憶領域よりも外側にずれてしまう場合、
前記撮像手段から出力された画像データの全ての領域が、前記記憶領域に収まるように、前記記憶領域内で、前記合成手段で合成された画像データを移動させて、前記合成手段で合成を行わせる、ことを特徴とする請求項１に記載の撮像装置。
【請求項５】
前記制御手段は、前記合成手段に合成を行わせると、前記撮像手段から出力された画像データの領域が前記記憶領域よりも外側にずれてしまう場合、
前記撮像手段から出力された画像データを、前記記憶領域とは別の前記メモリ手段の記憶領域に記憶させ、
前記合成手段に、該画像データと該画像データの出力後に前記撮像手段から出力された画像データとを合成させる、ことを特徴とする請求項１に記載の撮像装置。
【請求項６】
被写体を撮像した画像データを出力する撮像手段と、前記撮像手段から出力された複数の画像データを合成する合成手段と、前記合成手段で合成された画像データを設定された記憶領域に記憶するメモリ手段とを有する撮像装置の制御方法であって、
前記合成手段で合成された画像データを前記メモリ手段に記憶する記憶工程と、
前記撮像手段から出力された画像データと前記メモリ手段に記憶された画像データとの間の被写体像の移動量を検出する移動量検出工程と、
前記合成手段に、前記撮像手段から出力された画像データと前記メモリ手段に記憶された画像データとを、前記移動量検出工程で検出された被写体像の移動量分移動させて合成を行わせる制御工程を有し、
前記制御工程は、前記合成手段で合成された画像データが前記記憶領域内に収まるように、前記記憶領域と、前記移動量とに応じて合成を制御する、ことを特徴とする撮像装置の制御方法。
【請求項７】
前記制御工程は、前記合成手段に合成を行わせると、前記撮像手段から出力された画像データの領域が前記記憶領域よりも外側にずれてしまう場合、
前記合成手段に合成を行わせない、ことを特徴とする請求項６に記載の撮像装置の制御方法。
【請求項８】
前記制御工程は、前記合成手段に合成を行わせると、前記撮像手段から出力された画像データの領域が前記記憶領域よりも外側にずれてしまう場合、
前記合成手段に、前記撮像手段から出力された画像データの領域のうち、前記記憶領域に収まる領域のみ合成を行わせる、ことを特徴とする請求項６に記載の撮像装置の制御方法。
【請求項９】
前記制御工程は、前記合成手段に合成を行わせると、前記撮像手段から出力された画像データの領域が前記記憶領域よりも外側にずれてしまう場合、
前記撮像手段から出力された画像データの全ての領域が、前記記憶領域に収まるように、前記記憶領域内で、前記合成手段で合成された画像データを移動させて、前記合成手段で合成を行わせる、ことを特徴とする請求項６に記載の撮像装置の制御方法。
【請求項１０】
前記制御工程は、前記合成手段に合成を行わせると、前記撮像手段から出力された画像データの領域が前記記憶領域よりも外側にずれてしまう場合、
前記撮像手段から出力された画像データを、前記記憶領域とは別の前記メモリ手段の記憶領域に記憶させ、
前記合成手段に、該画像データと該画像データの出力後に前記撮像手段から順次出力された画像データとを合成させる、ことを特徴とする請求項６に記載の撮像装置の制御方法。
【請求項１１】
コンピュータに請求項６乃至１０のいずれか１項に記載の撮像装置の制御方法の各工程を実行させるためのプログラム。
【請求項１２】
コンピュータに請求項６乃至１０のいずれか１項に記載の撮像装置の制御方法の各工程を実行させるためのプログラムを記憶したコンピュータ読み取り可能な記憶媒体。
【手続補正２】
【補正対象書類名】明細書
【補正対象項目名】０００８
【補正方法】変更
【補正の内容】
【０００８】
上記目的を達成するため、本発明に係る撮像装置は、被写体を撮像した画像データを出力する撮像手段と、撮像手段から出力された複数の画像データを合成する合成手段と、合成手段で合成された画像データを設定された記憶領域に記憶するメモリ手段と、撮像手段から出力された画像データとメモリ手段に記憶された画像データとの間の被写体像の移動量を検出する移動量検出手段とを有する撮像装置であって、合成手段に、撮像手段から出力された画像データとメモリ手段に記憶された画像データとを、移動量検出手段で検出された被写体像の移動量分移動させて合成を行わせる制御手段を有し、制御手段は、合成手段で合成された画像データが記憶領域内に収まるように、記憶領域と、移動量とに応じて合成を制御する、ことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
上記目的を達成するため、本発明に係る撮像装置の制御方法は、被写体を撮像した画像データを出力する撮像手段と、撮像手段から出力された複数の画像データを合成する合成手段と、合成手段で合成された画像データを設定された記憶領域に記憶するメモリ手段とを有する撮像装置の制御方法であって、合成手段で合成された画像データをメモリ手段に記憶する記憶工程と、撮像手段から出力された画像データとメモリ手段に記憶された画像データとの間の被写体像の移動量を検出する移動量検出工程と、合成手段に、撮像手段から出力された画像データとメモリ手段に記憶された画像データとを、移動量検出工程で検出された被写体像の移動量分移動させて合成を行わせる制御工程を有し、制御工程は、合成手段で合成された画像データが
記憶領域内に収まるように、記憶領域と、移動量とに応じて合成を制御する、ことを特徴とする。
【手続補正５】
【補正対象書類名】明細書
【補正対象項目名】００１１
【補正方法】削除
【補正の内容】
【手続補正６】
【補正対象書類名】明細書
【補正対象項目名】０１５３
【補正方法】変更
【補正の内容】
【０１５３】
Ｙｓ≧｜ｙｅ（Ｎ）−ｎ｜
合成後のウィンドウWin-Bの垂直サイズが、合成処理用フレームメモリ領域６−２よりも大きい時、処理手順Ｓ６３０に移る。処理手順Ｓ６３０では、合成処理用フレームメモリ領域６−２とは異なる領域に第２の合成処理用フレームメモリ領域のアドレスを更新する。そして、ウィンドウWin-Aの位置を表す座標の初期化と第２の合成処理用フレームメモリ領域の全領域の値を０で初期化が行なわれ、処理手順Ｓ６１０に移る。